(57)【特許請求の範囲】
【請求項１】
家具の上面背側と接触する押さえ部と、前記押さえ部の端部から直角に延出して壁面に固定される固定部と、前記押さえ部の上面から前記固定部の長手方向に沿って下方へ進退移動する一対の長ボルトと、前記長ボルトと螺合する一対の長ナットと、本体の内側に前記長ナットを取り付けて前記長ボルトを挿通可能とすると共に前記一対の長ナット間でビスを前記壁面に向けて挿入可能な挿入孔を本体中央に備えたガイドを有し、前記家具の高さに合わせて前記長ボルトを進退移動させて前記押さえ部の高さを調整可能な高さ調整部からなる押さえ本体と、
前記押さえ部の前記家具の上面背側の面に取り付けて前記家具の上面に粘着する粘着部と、
前記家具の底面と床面の間に取り付ける滑り止め部と、
前記ビスと接続して前記ガイドを壁面に固定可能な固定金物と、
を備え、
前記固定部は、前記長手方向に沿って、前記ビスとの接触を回避する挿入溝を形成し、
前記粘着部は、前記押さえ部と前記家具の上面の間に隙間なく取付けることを特徴とする転倒防止治具。
【請求項２】
前記固定金物は、壁面の前記固定部の取り付け面に所定間隔で複数取り付けていることを特徴とする請求項１に記載の転倒防止治具。
【請求項３】
コンクリート躯体に埋め込まれる固定金物の設置箇所に相当するコンクリートパネルに形成された挿入孔に、取付け治具と接続した前記固定金物を挿入する工程と、
コンクリートの打設後、前記取付け治具を取り外し、前記コンクリート躯体表面に化粧壁紙を張り合わせる工程と、
請求項１又は２に記載の転倒防止治具を取り付ける前記固定金物を磁石で検索する工程と、
前記固定金物を前記コンクリート躯体表面に露出させて前記転倒防止治具を取り付ける工程と、
家具を前記コンクリート躯体表面に沿って設置して、前記転倒防止治具の押さえ部と前記家具の上面の間の前記粘着部を隙間なく取付ける工程と、
からなることを特徴とする転倒防止治具の取付け方法。
【請求項４】
前記取付け治具を取り外した前記固定金物は、前記固定部との接続箇所に形成された雌ねじに着脱可能なキャップを埋め込むこと特徴とする請求項３に記載の転倒防止治具の取付け方法。
【発明の詳細な説明】
【技術分野】
【０００１】
本発明は室内に設置される家具の転倒防止治具およびその取付け方法に関する。
【背景技術】
【０００２】
室内に配置されるタンス、棚等の家具は、地震などの震災時に転倒すると、居住者が危険に晒されるため、予め家具の転倒を防止する治具で固定することが必要となる。
【０００３】
従来、家具の転倒防止治具として、円筒ジャッキ（突っ張り棒）、Ｌ字金物などを用いて、家具の上面とビス止めで連結し、壁面や天井面に固定し転倒を防いでいた。
【０００４】
特許文献１の転倒防止装置は、天井と家具の上面の隙間に円柱ジャッキを入れて支持する構造である。円柱ジャッキは、比較的強度の強い天井の縁と家具の縁枠材を横圧するように壁面に沿って取り付けている。これにより、家具が地震等で正面下端を中心にして前方へ傾斜しようとする際に、円柱ジャッキで家具の背側上端を下方向に押さえつけて、家具の転倒を防止することができる。
【０００５】
特許文献２の転倒防止装置は、壁面と家具の背側上端をＬ字金具で固定する構造である。この装置は、家具の背側上端で上方に突設されるＬ字型の固定部材と、固定部材の挿通孔に挿通されて壁面に止着される止着部とからなり、止着部の頭部と固定部材の間に可塑部材を介在させている。これにより、家具にかかる衝撃力を緩和している。
【先行技術文献】
【特許文献】
【０００６】
【特許文献１】登録実用新案第３０１５５１７号
【特許文献２】特開平８−２９９０８７号公報
【発明の概要】
【発明が解決しようとする課題】
【０００７】
しかしながら、家具を押さえつける円柱ジャッキは、家具にキズが付くほど押さえつけて固定していたが、次のように転倒防止としては効果が少なかった。
図１２は従来の転倒防止治具の説明図である。図示のように、揺れの比較的大きな地震の際には、天井の浮き上がりや、家具の矢印ａ方向の移動に伴って、家具上面と天井面の間を支持していた円筒ジャッキ３が外れ易く、家具１が転倒してしまう。この他、円柱ジャッキで固定された家具は、家具の上部から露出して見た目が悪く、室内の美観を損なうという問題があった。
また、Ｌ字金物の場合、所定の強度は確保できるものの、家具との固定にビス等の固着手段を用いているため、家具にキズが付いてしまうなどの問題があった。
【０００８】
そこで、上記従来技術の問題点を解決するため、本発明は、家具に傷付けることなく取付けることができ、かつ、取付け後の美観を損ねることがなく、さらに、震災時に室内の家具の転倒を確実に防止できる転倒防止治具およびその取付け方法を提供することを目的としている。
【課題を解決するための手段】
【０００９】
本発明の転倒防止治具は、家具の上面背側と接触する押さえ部と、前記押さえ部の端部から直角に延出して壁面に固定される固定部と、前記押さえ部の上面から前記固定部の長手方向に沿って下方に進退移動する一対の長ボルトと、前記長ボルトと螺合する一対の長ナットと、本体の内側に前記長ナットを取り付けて前記長ボルトを挿通可能とすると共に前記一対の長ナット間でビスを前記壁面に向けて挿入可能な挿入孔を本体中央に備えたガイドを有し、前記家具の高さに合わせて前記長ボルトを進退移動させて前記押さえ部の高さを調整可能な高さ調整部からなる押さえ本体と、前記押さえ部の前記家具の上面背側の面に取り付けて前記家具の上面に粘着する粘着部と、前記家具の底面と床面の間に取り付ける滑り止め部と、前記ビスと接続して前記ガイドを壁面に固定可能な固定金物と、を備え、前記固定部は、前記長手方向に沿って、前記ビスとの接触を回避する挿入溝を形成し、前記粘着部は、前記押さえ部と前記家具の上面の間に隙間なく取付けることを特徴としている。
【００１０】
この場合において、前記押さえ本体は、前記家具の上面と接触する前記押さえ部の高さ調整部を備えているとよい。
これにより、家具の大きさに応じて家具上面に接触する押さえ部の位置を調整して、隙間なく粘着部を家具の上面に接触させることができる。
【００１１】
前記固定金物は、壁面の前記固定部の取り付け面に所定間隔で複数取り付けているとよい。
これにより、家具の大きさに応じた治具の取り付け箇所に押さえ本体を固定することができる。
【００１２】
本発明の転倒防止治具の取付け方法は、コンクリート躯体に埋め込まれる固定金物の設置箇所に相当するコンクリートパネルに形成された挿入孔に、取付け治具と接続した前記固定金物を挿入する工程と、コンクリートの打設後、前記取付け治具を取り外し、前記コンクリート躯体表面に化粧壁紙を張り合わせる工程と、前記転倒防止治具を取り付ける前記固定金物を磁石で検索する工程と、前記固定金物を前記コンクリート躯体表面に露出させて前記転倒防止治具を取り付ける工程と、家具を前記コンクリート躯体表面に沿って設置して、前記転倒防止治具の押さえ部と前記家具の上面の間の前記粘着部を隙間なく取付ける工程と、からなることを特徴としている。
【００１３】
この場合において、前記取付け治具を取り外した前記固定金物は、前記固定部との接続箇所に形成された雌ねじに着脱可能なキャップを埋め込むことを特徴としている。
【００１４】
これにより、コンクリート躯体表面の成形や、化粧壁紙を貼り付ける際に、接着剤や下地処理材などの溶液がアンカーボルトの挿入孔や、アンカーボルトの雌ねじに充填されて閉塞することを防止できる。
【発明の効果】
【００１５】
このような本発明の転倒防止治具によれば、押さえ本体により家具の上面背側を粘着部で固定し、家具の底面を滑り止め部で固定しているので、地震等により発生した振動を家具に伝達して家具が転倒するまで滑り出すことがない。従って、押さえ本体が外れることがなく、家具が転倒する虞がない。また家具の上面から治具が露出することなく設置でき、見栄えが良く美観を損ねることがない。さらに家具に傷つけることなく取り付けることができる。
【図面の簡単な説明】
【００１６】
【図１】本発明の転倒防止治具の取付け状態の説明図である。
【図２】図１のＡ部の拡大図である。
【図３】本発明の転倒防止治具の押さえ本体と高さ調整部の正面図である。
【図４】本発明の転倒防止治具の押さえ本体と高さ調整部の分解図である。
【図５】滑り止め部の説明図である。
【図６】アンカーボルトと取付け治具の説明図であり、（Ａ）は平面図、（Ｂ）は取付け状態の側面図、（Ｃ）はアンカーボルトの施工図である。
【図７】変形例のアンカーボルトと取付け治具の側面図である。
【図８】コンクリートを打設してコンクリートパネルを取り外すまでの転倒防止治具の取付け方法の説明図である。
【図９】アンカーボルトの雌ねじにキャップを挿入してからの転倒防止治具の取付け方法の説明図である。
【図１０】キャップの説明図であり、（Ａ）は斜視図、（Ｂ）は平面図、（Ｃ）は断面図である。
【図１１】固定金物の変形例の説明図である。
【図１２】従来の転倒防止治具の説明図である。
【発明を実施するための形態】
【００１７】
本発明の転倒防止治具およびその取付け方法の実施形態について、以下詳細に説明する。
図１は本発明の転倒防止治具の取付け状態の説明図である。図２は図１のＡ部の拡大図である。図３は本発明の転倒防止治具の押さえ本体と高さ調整部の正面図である。図４は本発明の転倒防止治具の押さえ本体と高さ調整部の分解図である。
【００１８】
本発明の転倒防止治具１０は、室内に配置されるタンス、棚等の家具の背側が壁面に沿って配置される際に用いるものである。
図示のように転倒防止治具１０は、家具の上面背側と接触する押さえ部２２と、前記押さえ部２２に接続して壁面に固定される固定部２４と、からなる押さえ本体２０と、前記押さえ部２２の前記家具の上面背側の面に取り付けて前記家具の上面に接着する粘着部４０と、前記家具の底面と床面の間に取り付ける滑り止め部４２と、前記固定部２４を壁面に固定する固定金物と、を主な基本構成としている。
【００１９】
押さえ本体２０は、断面視で略Ｌ字型の金物であり、押さえ部２２と固定部２４から構成されている。押さえ本体２０は、押さえ部２２と固定部２４の接続箇所で溶接したり、鋼板材を折り曲げたりして形成することができる。押さえ本体２０は、材質に金属のほかにも、金属に相当する所定の強度を備えたカーボン、強化プラスチック等を用いることができる。
【００２０】
押さえ部２２は、家具の上面背側と接触して支持する部材である。押さえ部２２は、後述する固定部２４との接続側に、高さ調整部３０の長ボルト３２が挿通する開口２３が一対形成されている。開口２３は、長ボルト３２のボルト径よりも僅かに大きい孔径に設定されている。
【００２１】
押さえ部２２の家具の上面背側と対向する側の面には、粘着部４０が形成されている。粘着部４０は、滑り止め性と、粘着性と、弾力性を備えた部材である。粘着部４０の滑り止め性は、家具と接触した際に振動によって滑らない（横方向の移動）性質であればよい。粘着部４０の粘着性は、着脱可能な所定の粘着力で家具と接触する性質であればよい。粘着部４０の弾力性は、所定の弾力を備えていればよく、家具の上面に押さえ部２２で押さえつけたときに縮小する性質であればよい。粘着部４０は、平面視で押さえ部２２の大きさと略同じ大きさに形成している。
【００２２】
固定部２４は、押さえ部２２の端部から直角に延出されて、壁面に固定する略矩形の部材である。固定部２４は、後述するアンカーボルト５０と螺合するビス２６との接触を回避する挿入溝２５が長手方向に沿って形成されている。挿入溝２５は、固定部２４の正面視で、上端（押さえ部２２側）を逆Ｕ字型に形成し、下端を開放している。
【００２３】
押さえ本体２０は、家具の上面と接触する押さえ部２２の高さ調整部３０を備えている。
高さ調整部３０は、家具の高さに合わせて押さえ部２２の高さを任意に調整することができる部材である。実施形態の高さ調整部３０は、長ボルト３２と、ガイド３４と、長ナット３８を主な基本構成としている。
【００２４】
長ボルト３２は、押さえ部２２の開口２３に挿入して、固定部２４の長手方向に沿って進退移動するボルトである。長ボルト３２は固定部２４と略同じ長さに設定されている。長ボルト３２のヘッドは、開口２３の孔径よりも大きく形成している。これにより、開口２３に挿入した長ボルト３２は、ヘッドの下端面で押さえ部２２の上面と接するように構成されている。長ボルト３２のシャフトには、後述する長ナット３８と螺合するためのねじ切り加工が全面に施されている。
【００２５】
ガイド３４は、断面視で略コ字型の金物であり、押さえ本体２０の幅と略同じ長さに設定されている。ガイド３４の本体中央にはビス２６の挿入孔３５が形成されている。本実施形態の挿入孔３５は、固定部２４の長手方向に沿って３個形成されている。またガイド３４の両端面には、長ボルト３２が挿通する開口３６が一対形成されている。
【００２６】
長ナット３８は、長ボルト３２と螺合するナットであり、コ字型のガイド３４の内側の長さと略同じ長さに設定している。このような長ナット３８は、ガイド３４の内側に取り付けられて、長ボルト３２と螺合した時にガイド３４の本体と、側面が接触して、長ナット３８の回転が拘束される。
【００２７】
このような構成の高さ調整部３０は、図４に示すように、まず長ナット３８をコ字型のガイド３４の内側に一対配置して、ナット開口をガイド３４の開口３６に合わせる。そして押さえ部２２の開口２３から長ボルト３２を挿入して、ガイド３４の開口３６に挿入する。長ボルト３２を回転させながら長ナット３８と螺合させる。このとき、長ナット３８の側面はガイド３４の本体と接触して、長ナット３８の回転が拘束されて、長ボルト３２と共に回転することがない。またガイド３４をビス２６で固定金物に固定した後、固定部２４は挿入溝２５によってビス２６と接触することがない。そして長ナット３８の上端と長ボルト３２のヘッドの間の長さを調整することにより、押さえ部２２を任意の位置に取り付けることができる。
【００２８】
滑り止め部４２は、滑り止め性を供えた弾性素材であり、合成樹脂、ゴム等を用いることができる。
滑り止め部４２は、図５（Ａ）に示すように、少なくとも家具の両側面の底面の縁枠材に配置されていれば良い。この他、滑り止め部４２は、図５（Ｂ）に示すように、平面視で家具の底面と略同じ大きさに配置しても良い。
【００２９】
図６はアンカーボルトと取付け治具の説明図であり、（Ａ）は平面図、（Ｂ）は取付け状態の側面図、（Ｃ）はアンカーボルトの施工図である。
固定金物となるアンカーボルト５０は、コンクリート躯体に埋め込まれるインサートである。図６に示すアンカーボルト５０は、軸芯が直線（ストレート型）のインサートを示している。
【００３０】
アンカーボルト５０はボルト本体の表面を鉄筋肌状に形成している。ボルト本体の表面は、この他にもねじ切り、ムク状に加工することもできる。またアンカーボルト５０は、防錆処理を施しているとよい。これにより、コンクリート躯体に埋め込まれたアンカーボルト５０が錆びることによって化粧壁紙が汚れることを防止したり、アンカーボルト５０を介して転倒防止治具１０が錆びたりすることを防止できる。またアンカーボルト５０は、固定する家具に応じて任意のシャフト径に設定することができる。アンカーボルト５０は、ボルト本体の端面にビス等と螺合する雌ねじが形成されている。
【００３１】
またアンカーボルト５０は、固定部２４を取り付ける壁面に所定間隔で複数取り付けているとよい。図６（Ｃ）に示すアンカーボルト５０は、床面から所定高さＬ１、Ｌ２に直線上に所定間隔で複数取り付けている。これにより、家具の大きさ、幅に応じて、治具の最適な取り付け箇所に押さえ本体２０の固定部２４を固定することができる。
【００３２】
取付け治具６０は、アンカーボルト５０をコンクリートパネル７０に取り付けてコンクリート打設の際、一時的に固定するために用いる治具である。取付け治具６０は、アンカーボルト５０の雌ねじと螺合するボルト本体６２と、ツバ部６４と、ナット６６と、Ｏリング６８を主な基本構成としている。
【００３３】
ボルト本体６２は、アンカーボルト５０の雌ねじに螺合可能なボルトである。ボルト本体６２の一方の端部には、アンカーボルト５０の雌ねじと螺合して着脱可能な雄ねじが形成されている。またボルト本体６２の他方の端部には、ツバ部６４が形成されている。ボルト本体６２のシャフト径は、アンカーボルト５０のシャフト径よりも大きく設定し、コンクリートパネル７０の厚みよりも長く設定している。なお、ボルト本体６２のシャフト径は、アンカーボルトのシャフト径と同径に設定してもよい。これにより、取付け治具６０及びコンクリートパネルを除去したコンクリート躯体７４表面には、コンクリートパネル７０の厚みよりも長いボルト本体６２に相当する凹部が形成され、その凹部にアンカーボルト５０が埋め込まれて、アンカーボルト５０の雌ねじがコンクリート躯体７４表面に露出した状態となる。
【００３４】
ツバ部６４は、平面視で円形のプレートであり、ボルト本体６２のシャフト径よりも大きい径に設定している。ツバ部６４には仮止め用のクギ孔６５が複数形成されている。
【００３５】
ナット６６は、ツバ部６４の平面視で中心に溶接等により固定されている。
Ｏリング６８は、ボルト本体の雄ねじを挿入可能な孔を備え、アンカーボルト５０と略同じ径のパッキンである。Ｏリング６８は、Ｏリング６８の孔にボルト本体６２の雄ねじを挿入して、ボルト本体６２の端面に接触させている。
【００３６】
このような構成の取付け治具６０は、ボルト本体６２の雄ねじをアンカーボルト５０の雌ねじに螺合する。そうするとアンカーボルト５０の雌ねじ側の端面がＯリング６８と接触して、Ｏリングが縮小して螺合が完了する。これにより、アンカーボルト５０の雌ねじと取り付け治具６０の雄ねじの間の僅かな隙間は、Ｏリング６８が密着することによってなくなり、外部からの液体の侵入を防止することができる。また、取り付け治具６０の軸芯とアンカーボルト５０の軸芯が同一直線状に配置され一体化する。
【００３７】
図７は変形例のアンカーボルトと取付け治具の側面図である。
図７に示すアンカーボルト５０Ａは折り曲げ（スクリュー型）のインサートである。アンカーボルト５０Ａは、コンクリート躯体に埋め込まれた鉄筋を回避するように、ボルト軸を任意の形状に折り曲げている。アンカーボルト５０Ａは、図６に示すアンカーボルトと同様にボルト本体の端面にビス等と螺合する雌ねじが形成されている。
【００３８】
このような構成のアンカーボルト５０Ａは、コンクリート躯体７４の埋め込み箇所に鉄筋が存在する場合に、取付け治具６０を回転させながら挿入して、折り曲げ形状のシャフトで鉄筋を回避するように取り付けることができる。
【００３９】
上記構成による本発明の転倒防止治具の取付け方法について以下説明する。
図８は、コンクリートを打設してコンクリートパネルを取り外すまでの転倒防止治具の取付け方法の説明図である。図９は、アンカーボルトの雌ねじにキャップを挿入してからの転倒防止治具の取付け方法の説明図である。
【００４０】
図８（Ａ）に示すように、予めコンクリート躯体の壁面に埋め込むアンカーボルト５０の設置箇所に相当するコンクリートパネル（コンクリートの型枠用合板）７０には、アンカーボルト５０を挿入する挿入孔７２が形成されている。
【００４１】
図８（Ｂ）に示すように、雌ねじに取付け治具６０を螺合したアンカーボルト５０を挿入孔７２へ挿入する。アンカーボルト５０の雌ねじと取り付け治具６０のボルト本体６２の雄ねじを螺合したアンカーボルト５０と取り付け治具６０のボルト本体６２の隙間にはＯリング６８が取り付けられている。また挿入孔７２へ挿入したアンカーボルト５０が鉄筋（不図示）と当たる場合には、図７に示す折り曲げたアンカーボルトを用いて、回転させながら挿入することにより、鉄筋を避けてアンカーボルトを取り付けることができる。
【００４２】
図８（Ｃ）に示すように、取付け治具６０のツバ部６４がコンクリートパネル７０の表面に接触するまで挿入する。そしてツバ部６４に形成されたクギ孔６５にクギを打ち込みコンクリートパネル７０の表面に取付け治具６０を固定する。
【００４３】
図８（Ｄ）に示すように、アンカーボルト５０が取付け治具６０によってコンクリートパネル７０に一時的に固定された状態で、コンクリートを打設してコンクリート躯体７４を形成する。
【００４４】
コンクリート躯体が養生した後、取付け治具６０の両端のクギを取り外し、図８（Ｅ）に示すように、取付け治具６０を回転させながら取付け治具６０をアンカーボルト５０から取り外す。アンカーボルト５０と取付け治具６０のボルト本体６２の間にはＯリング６８が取り付けられているため、コンクリート打設時に液体がアンカーボルトの雌ねじ内に侵入することがない。よって雌ねじにビスを容易に螺合させることができる。
【００４５】
そして図８（Ｆ）に示すように、コンクリートパネルを取り除いたコンクリート躯体７４表面には、コンクリートパネルの厚みよりも長い取付け治具６０のボルト本体６２に相当する凹部８０が形成される。凹部８０の中心にはアンカーボルト５０の雌ねじが露出している。
【００４６】
次いでアンカーボルト５０の雌ねじにキャップ８２を埋め込む。図１０はキャップの説明図であり、（Ａ）は斜視図、（Ｂ）は平面図、（Ｃ）は断面図である。図示のようにキャップ８２は、アンカーボルト５０の雌ねじの穴に相当する大きさの部材である。キャップ８２の材質は、金属、プラスチック樹脂等により形成することができる。またキャップ８２は、端面に六角穴８３が形成され、表面はアンカーボルト５０の雌ねじに螺合するねじ切り加工が施されている。このような構成のキャップ８２は、回転させながらアンカーボルト５０の雌ねじに螺合させると雌ねじの穴に埋め込まれた状態となる（図９（Ｇ））。
【００４７】
図９（Ｈ）に示すように、コンクリート躯体７４表面をモルタル７５で成形する。このとき凹部８０はモルタル７５に埋め込まれる。そして、モルタル７５の表面に接着剤を塗布してから化粧壁紙７６を張り合わせる。
【００４８】
図９（Ｉ）に示すように、磁石８４を用いて化粧壁紙７６で隠れたアンカーボルト５０の埋め込み箇所を検索する。アンカーボルトは金属性であり、コンクリート躯体７４のアンカーボルト５０の埋め込み箇所で磁石８４が磁力によって引き寄せられ容易に検索することができる。埋め込まれたアンカーボルト５０に相当する化粧壁紙７６及びモルタル７５を取り除く。そしてキャップ８２の六角穴の穴径に合う六角レンチを用いて、アンカーボルト５０の雌ねじに螺合しているキャップ８２を取り外す。
図９（Ｊ）に示すように、転倒防止治具１０の固定部２４をアンカーボルト５０にビス２６を用いて固定する。
【００４９】
次に図９（Ｋ）に示すように、室内に家具８６を設置する。家具８６の底面には滑り止め部４２が取り付けられている。また、押さえ本体２０の固定部２４はガイド３４と化粧壁紙７６の間で仮止めされているため、上下に容易に移動させることができる。押さえ部２２を家具８６の上面まで下げて、粘着部４０を家具８６上面に粘着させる。次に高さ調整部３０の長ボルト３２を回転させながら、長ボルト３２のヘッドが押さえ部２２の上面と接触するまで下げる。
【００５０】
図９（Ｌ）に示すように、高さ調整部３０は、押さえ部２２によって家具８６の背側端部及び底面の粘着部４０及び滑り止め部４２が僅かに縮む程度まで締め込んでいる。押さえ部２２の家具の上面側と対向する面には粘着部４０が形成されている。粘着部４０は滑り止め性と、粘着性と、弾力性を備えており、家具８６の上面背側に押圧されると、弾力性により縮んで、粘着性により密着する。このように押さえ部２２と家具８６の上面背側の間の粘着部４０は隙間なく取付けることができる。
【００５１】
このような本発明の転倒防止治具によれば、押さえ本体により家具の上面背側を粘着部で固定し、家具の底面を滑り止め部で固定しているので、地震等により発生した振動を家具に伝達して家具が転倒するまで滑り出すことがない。従って、押さえ本体が外れることがなく、家具が転倒する虞がない。また家具の上面から治具本体が露出することなく設置でき、見栄えが良く美観を損ねることがない。さらに家具に傷つけることなく取り付けることができる。
【００５２】
図１１は固定金物の変形例の説明図である。変形例の固定金物は、コンクリート躯体に埋め込まれたセパレータ９０である。セパレータ９０は、コンクリート壁を形成するため対向するコンクリートパネルの間で間隔（壁の厚み）を保持するための金物である。セパレータ９０は、直線状のシャフトの両端に雄ねじが形成されている。雄ねじはコンクリート躯体７４が形成されて、コンクリートパネルを取り除いた後、コンクリート躯体７４の凹部表面に露出する。この雄ねじに長ナット９２を螺合すれば、転倒防止治具１０のビス２６を取り付けることができる。また本発明の転倒防止治具１０は、コンクリート躯体に取り付けるほか、鋼板、木板にビス止め等により固定することもできる。
【符号の説明】
【００５３】
１………家具、３………円筒ジャッキ、１０………転倒防止治具、２０………押さえ本体、２２………押さえ部、２３………開口、２４………固定部、２５………挿入溝、２６………ビス、３０………高さ調整部、３２………長ボルト、３４………ガイド、３５………挿入孔、３６………開口、３８………長ナット、４０………粘着部、４２………滑り止め部、５０，５０Ａ………アンカーボルト、６０………取付け治具、６２………ボルト本体、６４………ツバ部、６５………クギ孔、６６………ナット、６８………Ｏリング、７０………コンクリートパネル、７２………挿入孔、７４………コンクリート躯体、７５………モルタル、７６………化粧壁紙、８０………凹部、８２………キャップ、８４………磁石、８６………家具、９０………セパレータ、９２………長ナット。
【図１】
0005500560.tif 000002
【図２】
0005500560.tif 000003
【図３】
0005500560.tif 000004
【図４】
0005500560.tif 000005
【図５】
0005500560.tif 000006
【図６】
0005500560.tif 000007
【図１０】
0005500560.tif 000008
【図１１】
0005500560.tif 000009
【図１２】
0005500560.tif 000010
【図７】
0005500560.tif 000011
【図８】
0005500560.tif 000012
【図９】
0005500560.tif 000013